(57)【特許請求の範囲】
【請求項１】
投影光学系からの露光光により半導体基板を露光する半導体製造用露光装置において、
前記投影光学系と前記基板との間に設けられ、露光光を通過させるための開口を有した遮蔽部材と、
前記投影光学系と前記遮蔽部材との間の空間の圧力を前記基板と前記遮蔽部材との間の空間の圧力よりも高くする圧力設定手段とを有し、
前記遮蔽部材が、露光時に前記開口を開き、非露光時に前記開口を閉じるシャッター状に構成されていることを特徴とする半導体製造用露光装置。
【請求項２】
投影光学系からの露光光により半導体基板を露光する半導体製造用露光装置において、
前記投影光学系と前記基板との間に設けられ、露光光を通過させるための開口を有した遮蔽部材と、
前記投影光学系と前記遮蔽部材との間の空間の圧力を前記基板と前記遮蔽部材との間の空間の圧力よりも高くする圧力設定手段とを有し、
前記開口の大きさを、前記投影光学系の開口数に応じて変更可能としたことを特徴とする半導体製造用露光装置。
【請求項３】
投影光学系からの露光光により半導体基板を露光する半導体製造用露光装置において、
前記投影光学系と前記基板との間に設けられ、露光光を通過させるための開口を有した遮蔽部材と、
前記投影光学系と前記遮蔽部材との間の空間の圧力を前記基板と前記遮蔽部材との間の空間の圧力よりも高くする圧力設定手段とを有し、
前記遮蔽部材の表面が、有機ガスを吸着する物質でコーティングされていることを特徴とする半導体製造用露光装置。
【請求項４】
投影光学系からの露光光により半導体基板を露光する半導体製造用露光装置において、
前記投影光学系と前記基板との間に設けられ、露光光を通過させるための開口を有した遮蔽部材と、
前記投影光学系と前記遮蔽部材との間の空間の圧力を前記基板と前記遮蔽部材との間の空間の圧力よりも高くする圧力設定手段とを有し、
前記遮蔽部材が透明な材料で作られており、この遮蔽部材の表面に酸化チタンがコーティングされていることを特徴とする半導体製造用露光装置。
【請求項５】
前記遮蔽部材に前記投影光学系からクリーニング光を照射することを特徴とする請求項４に記載の半導体製造用露光装置。
【請求項６】
請求項１から５のいずれか１つに記載の半導体製造用露光装置を用いたことを特徴とする半導体デバイス製造プロセス。
【請求項７】
前記圧力設定手段により前記投影光学系と前記遮蔽部材との間の空間の圧力を前記基板と前記遮蔽部材との間の空間の圧力よりも高くする工程を含むことを特徴とする請求項６に記載の半導体デバイス製造プロセス。
【請求項８】
請求項４又は５に記載の半導体製造用露光装置を用い、前記遮蔽部材にクリーニング光を照射する工程を含むことを特徴とする半導体デバイス製造プロセス。
【発明の詳細な説明】
【０００１】
【発明の属する技術分野】
本発明は、半導体デバイス製造プロセスにて使用される半導体製造用露光装置に関するものである。
【０００２】
【従来の技術】
近年、半導体集積回路の高集積化はギガビットＤＲＡＭ世代へ向けて進んでいる。そして、この高集積化に伴い、露光装置とりわけ投影光学系に要求される性能もさらに高レベルとなってきている。
【０００３】
ここで、露光装置の解像度は、投影光学系の開口数（ＮＡ）を大きくすることによって高めることができるが、ＮＡを大きくすることによって焦点深度が浅くなる。したがって、ある程度以上ＮＡを大きくすることができず、解像度を高めるためには露光波長を短波長化することが要求されている。
【０００４】
このような理由で、ギガビットＤＲＡＭ世代の露光装置に用いられる光源として、ＫｒＦエキシマレーザやＡｒＦエキシマレーザが有望視されているが、光源の短波長化に伴いレジストも解像度の高い化学増幅型レジストへと移行する。化学増幅型レジストは、ＫｒＦ等の光源を用いて露光することにより酸を発生させ、露光後のベーク処理時に酸を触媒として、ポジ型では保護基脱離反応を、ネガ型では架橋反応を起こさせるものであり、これによりアルカリ現像液に対する溶解速度を変化させて現像後に高アスペクト比のパターンを得ることができる。
【０００５】
図６には、ポジ型化学増幅レジストの反応の概略を示している。図中（Ａ），（Ｂ），（Ｃ），（Ｄ）の順に反応は進行する。レジストは保護基６２を有したベース樹脂６１および光酸発生剤６３から構成される（Ａ）。ＫｒＦやＡｒＦ光源からの光によって露光されると、光酸発生剤６３が反応し、酸６４を発生する（Ｂ）。酸６４は触媒となって保護基６２を脱離し、反応生成物６５を作る（Ｃ）。反応生成物６５は気化し、レジスト膜外へと出ていくため、レジストの膜厚は減少する（Ｄ）。
【０００６】
図中（Ｃ），（Ｄ）の現象は、主に露光後の熱処理時に起きるものであるが、実際に用いられている化学増幅レジストは、露光中あるいは露光からベーク処理までの間にも起きる。これは、露光装置のスループットを上げるためにレジストの感度を向上させた結果、保護基脱離反応が酸の存在に対して敏感に起こり、高温にベークしなくても常温で反応が進行することが原因である。なお、図７には、実際の露光後のレジスト膜厚の変化を示している。この図から分かるように、露光量に応じて反応速度が異なり、膜厚の減少速度に差が生じる。
【０００７】
【発明が解決しようとする課題】
上述したように、露光中から熱処理時にかけて反応生成物が気化してガスが生じるのであるが、このガスが露光光と反応して有機物が生じ、投影レンズ系が汚染されるという問題がある。
【０００８】
すなわち、図８に示すように、光源から照明光学系、レチクルおよび投影光学系８６を通過して被露光基板９０に光が照射されると、基板９０のレジストが反応してガス８８が発生する。発生したガス８８が光源光に反応して有機物８７が発生し、この有機物８７が投影光学系８６の最終段レンズ８９の表面に付着する。
【０００９】
例えば、保護基として代表的なものである１エトキシエトキシ基の脱離反応は、温度よりもむしろ触媒となる酸に敏感であり、ベーク前の状態において反応が進行する。この脱離反応（化１）において生成されたアセトアルデヒドとエタノールは揮発性が高く、レジスト中に存在する残存溶媒や酸、酸発生剤、界面活性剤等の添加剤等とともに揮発する。
【００１０】
【化１】
0003667050.tif 000002
【００１１】
このように反応生成ガスとともに膜外に放出された有機物が、光照射による分解、再結合を含む複雑な反応過程を経て、投影レンズ等の表面に付着固化する。そして、このように投影レンズが汚染された場合、露光装置の解像性能が低下したり、照度むらによる画角内の線幅のばらつきが生じたりして、製造した半導体デバイスの歩留まりが低下するという問題がある。
【００１２】
このような問題に対して、特開平６−１４０３０４号公報にて提案され、本願図９に示す露光装置では、投影光学系９６のレンズ９９と被露光基板１００との間にフィルム１０１を設けて、レジストからの発生ガス９８がレンズ表面に付着するのを防止している。
【００１３】
しかしながら、このような露光装置では、露光光の短波長化に対応した十分な透過率を有するフィルム材料がないという問題がある。また、露光光によりフィルムがダメージを受けて透過率が変化したり、フィルム面に付着した物質によってフイルム面内での透過率の偏りが生じたりして、解像性能が劣化したり照度が変動したりするという問題もある。
【００１４】
また、特開平６−２６０３８５号公報にて提案され、本願図１０に示す露光装置では、被露光基板１１０の周辺にノズル１１３を設け、投影光学系１０６のレンズ１０９と被露光基板１１０との間に不活性ガス１１２を供給することにより、スループットを落とさずに不活性ガス中での露光を可能としている。
【００１５】
しかしながら、このような露光装置では、レジストからの発生ガス１０８は投影光学系に付着しにくいものの、不活性ガスのフローによって露光雰囲気中の屈折率がゆらぎ、被露光基板の露光むらを引き起こすという問題がある。
【００１６】
そこで、本発明は、化学増幅レジストを用いた際の投影光学系の汚染を防いで、長期間安定した高精度のパターン転写が可能な半導体製造用露光装置を提供することを目的としている。
【００１７】
【課題を解決するための手段】
上記の目的を達成するために、本発明では、投影光学系からの露光光により半導体基板を露光する半導体製造用露光装置において、投影光学系と基板との間に設けられ、露光光を通過させるための開口を有した遮蔽部材と、投影光学系と遮蔽部材との間の空間（光学系側空間）の圧力を基板と遮蔽部材との間の空間（基板側空間）の圧力よりも高くする圧力設定手段とを設けている。
半導体基板に露光を行うと、この間に露光された領域のレジストから脱ガスが生じ、投影光学系汚染の原因となる。撮影レンズ最終面と被露光基板との距離は３０ｍｍ程度と近く、従来の露光装置ではその間に何もないためレジストからの発生ガスに接触し易い構造となっている。しかし、投影光学系と被露光基板との間の露光光路が妨げられてはならない。
そこで、本発明では、遮光部材を、露光時に開口を開き、非露光時に開口を閉じるシャッター状に構成している。すなわち、純粋な露光時間の間だけ露光用開口を開き、これ以外の時間は露光用開口を閉じるようにすれば、露光光路が妨げられることなく、レジストからの発生ガスによる投影光学系（特に、投影レンズの最終面）の汚染を効果的に防止することが可能となる。
【００１８】
しかも、圧力設定手段により光学系側空間に不活性ガスを導入する等して光学系側空間の圧力を基板側空間の圧力によりも高くすることにより、遮蔽部材の開口を通じて光学系側空間内にガスが流入するのを防止でき、高い光学系汚染防止効果を得ることが可能となる。なお、光学系側空間の圧力は、基板側空間の圧力を１．０００気圧とした場合、１．００１〜１．２気圧、好ましくは１．００１〜１．０１気圧に設定するのがよい。
【００１９】
また、本発明は、投影光学系からの露光光により半導体基板を露光する半導体製造用露光装置において、投影光学系と基板との間に設けられ、露光光を通過させるための開口を有した遮蔽部材と、投影光学系と遮蔽部材との間の空間の圧力を基板と遮蔽部材との間の空間の圧力よりも高くする圧力設定手段とを有し、遮蔽部材の開口面積を投影光学系の開口数に応じて変更できるようにしている。これにより、露光時の遮蔽部材の開口面積を常に光路を妨げない最小の面積とすることができ、光学系汚染防止効果を高めることができる。
【００２０】
さらに、本発明は、投影光学系からの露光光により半導体基板を露光する半導体製造用露光装置において、投影光学系と基板との間に設けられ、露光光を通過させるための開口を有した遮蔽部材と、投影光学系と遮蔽部材との間の空間の圧力を基板と遮蔽部材との間の空間の圧力よりも高くする圧力設定手段とを有し、遮蔽部材の表面に有機ガスを吸着する物質をコーティングしている。これにより、ガスをより効果的に吸着することを可能とし、光学系汚染防止効果を一層高めることができる。
【００２１】
なお、コーティング材料としては、ポリビニルアルコール、ポリビニルピロドリン、セルロース等のデンプン類、ポリエチレングリコール、ゼラチン、ポリアクリル酸、ポリメタクリル酸、ポリマレイン酸、ポリアクリルアミドやこれらの誘電体等の水溶性の高分子や、メタクリル酸エステル、アクリル酸エステル、ポリエーテルエーテルケトン、ポリカーボネート、ポリエステルやこれらの誘電体等の有機可溶性ポリマー等が挙げられる。また、コーティング材料中に、有機ガスを化学吸着する物質、例えばカルシウム、ストロンチウム、バリウム、チタン、ジルコニウム、ハフニウム、バナジウム、タンタル、クロム、モリブデン、タングステン、鉄等を含有させてもよい。
【００２２】
また、本発明は、投影光学系からの露光光により半導体基板を露光する半導体製造用露光装置において、投影光学系と基板との間に設けられ、露光光を通過させるための開口を有した遮蔽部材と、投影光学系と遮蔽部材との間の空間の圧力を基板と遮蔽部材との間の空間の圧力よりも高くする圧力設定手段とを有し、遮蔽部材を透明な材料で作り、この遮蔽部材の表面（基板側表面）に酸化チタンをコーティングしている。これにより、遮蔽部材にクリーニング光を照射したときに表面に付着した有機物を酸化チタンの光触媒反応の効果により分解・除去させることができる。この酸化チタンのクリーン化作用により、遮蔽部材の頻繁な交換が不要となり、生産ラインを頻繁に止めなければならないといった不都合を回避することが可能となる。なお、ここにいう透明とは、クリーニング光（露光光等）に対する透過率が少なくとも３０％以上、好ましくは８０％以上であることを指す。
【００２３】
そして、これらの結果、露光装置の解像性能および照度の長期安定性を向上させ、良好なレジストパターンを安定的に得ることが可能となる。
【００２５】
【発明の実施の形態】
（第１実施形態）
図１には、本発明の第１実施形態であるＫｒＦ逐次移動型縮小投影露光装置（ステッパ）の露光部の構成を示している。この図中、６は投影光学系であり、９は最終段の投影レンズである。１０は被露光基板であり、この基板１０と投影レンズ９との間には、シャッター（遮蔽部材）１４が設けられている。
【００２６】
シャッター１４は、露光時に露光光を通過させるための開口を開き、非露光時には開口を閉じる。なお、シャッター１４は、その開口面積を、露光光の光路を妨げない最小の面積とするために、投影光学系６の開口数（ＮＡ）に応じて変更できる構造となっている。つまり、ＮＡが大きい場合には、シャッター１４の開口面積は大きく設定され、ＮＡが小さい場合には、シャッター１４の開口面積は小さく設定される。
【００２７】
さらに、本実施形態では、シャッター１４を挟んで投影光学系６側の空間（光学系側空間）Ｓ１と基板１０側の空間（基板側空間）Ｓ２とが形成され、光学系側空間Ｓ１内にはガス導入口（圧力設定手段）１６を通じて不活性ガスが導入される。これにより、光学系側空間Ｓ１内の圧力が基板側空間Ｓ２内の圧力よりもわずかに高くなる。本実施形態では、基板側空間Ｓ２内の圧力を１．０００気圧とした場合、光学系側空間Ｓ１内の圧力を１．００５気圧に設定している。
【００２８】
以上のように構成されたステッパでは、図１（Ａ）に示すように、シャッター１４の開口を開いた状態で、ＫｒＦ光源（図示せず）からの露光光１５が、レチクル（図示せず）がセットされている投影光学系６を通して被露光基板１０に照射されて露光が行われる。
【００２９】
露光終了後は、図１（Ｂ）に示すように、直ちにシャッター１４の開口が閉じ、基板１０上のレジストから発生したガス８が投影光学系６側に移動しないようにする。これにより、露光直後（被露光基板１０が次のショット位置に移動する前）における投影レンズ９のガス８による汚染が防止される。
【００３０】
続いて、図１（Ｃ）に示すように、被露光基板１０が次のショット位置に移動するとともにシャッター１４の開口が開かれるが、このとき既に露光されてレジストからガス８が発生している領域はシャッター１４の開口の真下から移動し、しかも、光学系側空間Ｓ１内の圧力が基板側空間Ｓ２内の圧力よりもわずかに高くなっているため、ガス８はシャッター１４の開口を通して投影光学系６側に移動しない。これにより、被露光基板１０が次のショット位置に移動した後の投影レンズ９のガス８による汚染も防止される。
【００３１】
なお、このようなステッパを定常稼働により６ヶ月間使用した後に、投影レンズ９を検査したところ、投影レンズ９への付着物は極めて少なく、許容できる範囲内であった。
【００３２】
（第２実施形態）
図２には、本発明の第２実施形態であるＫｒＦ走査型縮小投影露光装置（スキャナ）の露光部の構成を示している。なお、本実施形態において、第１実施形態と同じ構成要素については第１実施形態と同符号を付して説明に代える。
【００３３】
本実施形態は、被露光基板１０と投影レンズ９との間に、常時開口したスリット状開口を有するスリット板２４が設けられている点で第１実施形態と異なる。このスリット板２４は、その開口面積（スリット長辺の長さ）を、露光光の光路を妨げない最小の面積とするために、投影光学系６の開口数（ＮＡ）に応じて変更できる構造となっている。つまり、ＮＡが大きい場合には、スリット板３４の開口面積は大きく設定され、ＮＡが小さい場合には、スリット板３４の開口面積は小さく設定される。
【００３４】
また、スリット板３４の基板側表面はカルシウムを５部含んだ５００ｎｍ厚のポリメタクリル酸メチルフィルムでコーティングされている。
【００３５】
さらに、本実施形態でも、第１実施形態と同様に、光学系側空間Ｓ１内にはガス導入口１６を通じて不活性ガスが導入される。これにより、光学系側空間Ｓ１内の圧力が基板側空間Ｓ２内の圧力よりもわずかに高くなる。本実施形態では、基板側空間Ｓ２内の圧力を１．０００気圧とした場合、光学系側空間Ｓ１内の圧力を１．００５気圧に設定している。
【００３６】
以上のように構成されたスキャナでは、図２（Ａ）に示すように、、ＫｒＦ光源（図示せず）からの露光光が、レチクル（図示せず）がセットされている投影光学系６およびスリット板２４の開口を通して被露光基板１０に照射されて露光が行われる。
【００３７】
露光終了後は、図２（Ｂ）に示すように、直ちに基板１０が次のショット位置に移動するが、このとき既に露光されてレジストからガス８を発生している領域もスリット板２４の開口の真下から移動する。しかも、スキャナの場合はスキャン方向のスリットサイズがステッパの開口サイズより小さいことに加え、光学系側空間Ｓ１内の圧力が基板側空間Ｓ２内の圧力よりもわずかに高くなっており、かつスリット板３４の基板側表面には有機ガスを化学吸着する物質がコーティングされているため、ガス８はスリット板２４の開口を通して投影光学系６側に移動しない。このため、ガス８による投影レンズ９の表面の汚染を第１実施形態のものよりも効果的に防止することができる。
【００３８】
なお、このようなスキャナを定常稼働により６ヶ月間使用した後に、投影レンズ９を検査したところ、投影レンズ９への付着物は極めて少なく、許容できる範囲内であった。
【００３９】
また、上記第１および第２実施形態では、遮蔽部材１４，２４の基板側表面をポリメタクリル酸メチルによりコーティングした場合について説明したが、本発明の遮蔽部材にこれ以外の吸着材料をコーティングしてもよい。
【００４０】
（第３実施形態）
図３には、本発明の第３実施形態であるＫｒＦ走査型縮小投影露光装置（スキャナ）の露光部の構成を示している。なお、本実施形態において、第２実施形態と同じ構成要素については第２実施形態と同符号を付して説明に代える。
【００４１】
本実施形態でも、被露光基板１０と投影レンズ９との間にスリット板３４が設けられているが、このスリット板３４は石英で作られており、その基板側表面には酸化チタンが１００ｎｍの厚さでコーティングされている。
【００４２】
また、本実施形態でも、第２実施形態と同様に、光学系側空間内にはガス導入口１６を通じて不活性ガスが導入される。これにより、光学系側空間内の圧力が基板側空間内の圧力よりもわずかに高くなる。本実施形態では、基板側空間内の圧力を１．０００気圧とした場合、光学系側空間内の圧力を１．００５気圧に設定している。
【００４３】
このように構成されたスキャナにおいても、第２実施形態と同様に、スリット板３４および光学系側空間と基板側空間との気圧差によりガスによる投影レンズ９の表面の汚染を防止することができる。なお、本実施形態では、図３に示すように、酸化チタン（つまりはスリット板３４）に定期的に（定常稼働において１週間に１回程度の割合で）、図示しないＫｒＦ光源からのクリーニング光１９を投影光学系６を通して照射する。クリーニング光１９の照射により酸化チタンが光触媒として作用し、スリット板３４の基板側表面に付着した有機物が分解除去される。このため、スリット板３４の頻繁な交換が不要となる。
【００４４】
なお、本実施形態では、スリット板を石英で作った場合について説明したが、石英以外の透明材料を用いてもよい。また、第１実施形態に示したステッパのシャッターを石英等の透明材料で作って酸化チタンでコーティングしてもよい。
【００４５】
また、上記第１から第３実施形態では、ＫｒＦ等の光源を使用するステッパおよびスキャナについて説明したが、本発明はこれら以外の光源又は方式を用いた露光装置にも適用することができる。
【００４６】
（第４実施形態）
図４および図５には、上記各実施形態にて説明したステッパ又はスキャナを使用する半導体デバイスの製造プロセスを示している。この製造プロセスは、ＩＣやＬＳＩ等の半導体チップ、液晶パネル、ＣＣＤ、薄膜磁気ヘッド、マイクロマシンおよびマイクロオプティクス等の製造に使用される。
【００４７】
図４には、回路設計から出荷までのフローを示しており、まずステップ１で半導体デバイスの回路設計が行われると、次にステップ２で、設計された回路パターンを形成したマスク（レチクル）構造体が作られる。一方、ステップ３では、シリコン等の材料を用いてウエハが製造される。
【００４８】
次にステップ４では、前工程、すなわちマスク構造体とウエハとを用い、フォトリソグラフィ技術によってウエハ上に実際の回路を形成する工程が行われる。そして、ステップ５では、後工程、すなわち回路が形成されたウエハを半導体チップ化する工程が行われる。なお、この後工程では、アッセンブリ工程（ダイシング、ボンディング工程）やパッケージング工程も含まれる。
【００４９】
こうして製造された半導体デバイスは、ステップ６で動作確認、耐久性等の各種検査が行われ、ステップ７で出荷される。
【００５０】
図５には、上記前工程の詳細なフローを示している。まずステップ１１でウエハの表面が酸化され、ステップ１２でウエハ表面にＣＶＤにより絶縁膜が形成される。次に、ステップ１３では、ウエハ上に電極が蒸着形成され、ステップ１４では、ウエハにイオンが打ち込まれる。
【００５１】
続いてステップ１５では、ウエハに感光剤が塗布され、ステップ１６ではマスクの回路パターンをウエハ上に焼き付け露光する。このステップ１６において、上記各実施形態のステッパ等が使用されることにより、従来難しかった高集積度の半導体デバイスの製造が可能になる。なお、このステップ１６の実行前に、ガス導入口１６を通じて光学系側空間に不活性ガスを導入し、光学系側空間内の気圧を昇圧させる（ステップ１６′）。また、第３実施形態のスキャナを用いる場合には、このステップ１６の実行前に、定期的にシャッター２４にクリーニング光を照射する（ステップ１６″）。
【００５２】
露光後、ステップ１７でウエハ上の回路パターンが現像され、ステップ１８では、エッチングにより現像したパターン像以外の部分が削り取られ、ステップ１９では、エッチング後不要となったレジストが取り除かれる。これらのステップが繰り返し行われることで、ウエハ上に回路パターンが多重形成される。
【００５３】
【発明の効果】
以上説明したように、本発明によれば、投影光学系と被露光基板との間に、シャッター状の遮蔽部材若しくは投影光学系の開口数によって開口の大きさが変更される遮蔽部材を設け、この遮光部材によって仕切られて形成される光学系側空間の圧力を基板側空間の圧力よりも高くするようにしているので、基板の露光を妨げることなく、レジストからの発生ガスの光学系側空間内への流入を阻止することができ、高い光学系汚染防止効果を得ることができる。そして、この結果、露光装置の解像性能および照度の長期安定性を向上させ、良好なレジストパターンを安定的に得ることができる。
また、遮光部材の表面に有機ガスを吸着する物質をコーティングすることにより、ガスをより効果的に吸着でき、光学系汚染防止効果を一層高めることができる。
【００５４】
なお、遮蔽部材を透明な材料で作り、この遮蔽部材の表面（基板側表面）に酸化チタンをコーティングすれば、クリーニング光の照射によって遮蔽部材の表面に付着した有機物を酸化チタンの光触媒反応の効果により分解・除去することができるため、遮蔽部材の頻繁な交換を不要とし、生産ラインの頻繁な停止といった不都合を回避することができる。
【図面の簡単な説明】
【図１】本発明の第１実施形態であるステッパの構成を示す概略図である。
【図２】本発明の第２実施形態であるスキャナの構成を示す概略図である。
【図３】本発明の第３実施形態であるスキャナの構成を示す概略図である。
【図４】上記ステッパおよびスキャナが使用される半導体デバイスの製造プロセスを示すフローチャートである。
【図５】上記製造プロセス中の前工程のフローチャートである。
【図６】ポジ型化学増幅レジストの反応説明図である。
【図７】露光後のレジスト膜厚の変化を示したグラフ図である。
【図８】レジストからの発生ガスによる投影レンズの汚染構造を示す説明図である。
【図９】従来のレンズ汚染防止用フィルムを備えた露光装置の概略図である。
【図１０】従来のレンズ汚染防止用ノズルを備えた露光装置の概略図である。
【符号の説明】
６，８６，９６，１０６  投影光学系
８，８８，９８，１０８  ガス
９，８９，９９，１０９  投影レンズ
１０，９０，１００，１１０  被露光基板
１４  シャッター
１５  露光光
１６  ガス導入口
１９  クリーニング光
２４，３４  スリット板
６１  ベース樹脂
６２  保護基
６３  光酸発生剤
６４  酸
６５  反応生成物
１０１  フィルム
１１３  ノズル
１１２  不活性ガス
【図１】
0003667050.tif 000003
【図２】
0003667050.tif 000004
【図３】
0003667050.tif 000005
【図４】
0003667050.tif 000006
【図５】
0003667050.tif 000007
【図６】
0003667050.tif 000008
【図７】
0003667050.tif 000009
【図８】
0003667050.tif 000010
【図９】
0003667050.tif 000011
【図１０】
0003667050.tif 000012